(57)【要約】【課題】必ずしも筋交を設けなくても確実に高い耐久性を発揮し、しかも施工コストの低廉化を実現可能であるとともに、経時変化の反りを防止して良好な仕上がりも実現可能な建築物の外壁を提供する。【解決手段】建築物の外壁は、柱４０等に複数枚の金属サンドイッチパネル１０を平面状に固定して垂直な被施工面を形成し、被施工面に塗り仕上げ材３０を施してなる。金属サンドイッチパネル１０は、表面を構成する鋼板製の第１板材１１と、裏面を構成する鋼板製の第２板材１２と、第１板材１１と第２板材１２との間に一体に設けられた断熱材１３とを有し、互いに実はぎ又は矢はずはぎされる接合部１５を有するものである。各金属サンドイッチパネル１０は接合部１５を除いた位置で柱４０等にビス４６によって固定されている。【選択図】図１
2005320759.tif 000002
【特許請求の範囲】
【請求項１】
下地材に複数枚の板状建材を平面状に固定して垂直な被施工面を形成し、該被施工面に意匠材を施してなる建築物の外壁において、
前記板状建材は、表面を構成する金属板製の第１板材と、裏面を構成する金属板製の第２板材と、該第１板材と該第２板材との間に一体に設けられた断熱材とを有し、互いに実はぎ又は矢はずはぎされる接合部を有するものであり、
各該板状建材は該接合部を除いた位置で前記下地材にビスによって固定されていることを特徴とする建築物の外壁。
【請求項２】
前記接合部は、前記第１、２板材の上端が前記断熱材側に直角に屈曲された後で上方に延びる凸部と、該第１、２板材の下端が該断熱材側に折り返されて上方に屈曲された凹部とからなることを特徴とする請求項１記載の建築物の外壁。
【発明の詳細な説明】
【技術分野】
【０００１】
本発明は戸建て住宅等の建築物の外壁に関する。
【背景技術】
【０００２】
建築物の外壁として、支柱等の下地材に複数枚の板状建材を平面状に固定して垂直な被施工面を形成し、この被施工面にタイル等の意匠材を施してなるものが知られている。
【０００３】
例えば、特許文献１開示の外壁では、まず下地材としての柱及び間柱に第１板状建材としての断熱ボードをビスによって平面状に固定し、垂直な第１被施工面を形成する。そして、この第１被施工面に防水紙を介して胴縁を形成し、胴縁に第２板状建材としての化粧仕上げ下地材をビスによって平面状に固定し、垂直な第２被施工面を形成する。この後、第２被施工面に意匠材としてのタイルを接着剤により施す。こうして、断熱効果のある外壁が構成されることとなる。
【０００４】
【特許文献１】特開２００１−３１６１６５号公報の図４
【発明の開示】
【発明が解決しようとする課題】
【０００５】
しかし、上記構成の外壁において、地震や風等の外力に十分に耐え得るようにするためには、柱や間柱間に筋交を設けて剛性を高くする必要がある。さもなければ、外力によって板状建材に反り等の変形を生じるとともに、それによってクラックを生じて湿気や紫外線による劣化が進行し、ひいては外壁の耐久性が損なわれてしまう。このため、耐久性の高い外壁は、施工が面倒であり、コスト高であるという問題がある。
【０００６】
この点、特開昭６３−１３０８５６号公報、特開平１１−１５９０５３号公報又は特開２００３−３４３５３８号公報開示の板状建材を採用することも考えられる。これらの公報には、表面を構成する第１板材と、裏面を構成する第２板材と、第１板材と第２板材との間に一体に設けられた断熱材とからなる板状建材が開示されている。第１板材は、特開昭６３−１３０８５６号公報、特開平１１−１５９０５３号公報又は特開２００３−３４３５３８号公報記載の技術では金属板である。第２板材は、特開平１１−１５９０５３号公報記載の技術ではアルミニウム蒸着紙等であり、特開２００３−３４３５３８号公報記載の技術では金属板である。また、これらの公報開示の板状建材は、上端側に凸部を有し、下端側に凹部を有し、凸部と凹部とが実はぎされるようになっている。
【０００７】
この種の板状建材を用いることとすれば、少なくとも金属板製の第１板材が高い壁倍率を実現して外壁の剛性を高くするため、必ずしも筋交を設けなくても高い耐久性の外壁が得られ、しかも施工コストの低廉化も実現することができる。ここで、壁倍率とは、耐力壁が基準の耐力壁に対して同じ長さ当たりで何倍の耐力があるかを示す数値である（建築基準法第４６条）。
【０００８】
しかしながら、これらの公報記載の技術では、各板状建材を接合部において下地材にビスによって固定している。このため、この技術では、板状建材の任意の場所にビスを打ち込むことができないことから、施工後の外壁の剛性を確保するために板状建材が小型化してしまい、この点において施工コストの低廉化が十分ではないのである。
【０００９】
また、特開平１１−１５９０５３号公報記載の技術では、時間の経過によるアルミニウム蒸着紙等からなる板材の乾燥により、板状建材が反ってしまい、仕上がりが損なわれてしまう。
【００１０】
本発明は、上記従来の実情に鑑みてなされたものであって、必ずしも筋交を設けなくても確実に高い耐久性を発揮し、しかも施工コストの低廉化を実現可能であるとともに、経時変化の反りを防止して良好な仕上がりも実現可能な建築物の外壁を提供することを解決すべき課題としている。
【課題を解決するための手段】
【００１１】
本発明の建築物の外壁は、下地材に複数枚の板状建材を平面状に固定して垂直な被施工面を形成し、該被施工面に意匠材を施してなる建築物の外壁において、
前記板状建材は、表面を構成する金属板製の第１板材と、裏面を構成する金属板製の第２板材と、該第１板材と該第２板材との間に一体に設けられた断熱材とを有し、互いに実はぎ又は矢はずはぎされる接合部を有するものであり、
各該板状建材は該接合部を除いた位置で前記下地材にビスによって固定されていることを特徴とする。
【００１２】
本発明の外壁は、表面を構成する金属板製の第１板材と、裏面を構成する金属板製の第２板材と、第１板材と第２板材との間に一体に設けられた断熱材とを有する板状建材を用いており、外断熱が可能である。この際、第１板材及び第２板材は高い壁倍率を実現して外壁の剛性を高くしている。また、各板状建材は各々の接合部によって互いに実はぎ又は矢はずはぎされる。このため、この外壁は、必ずしも筋交を設けなくても確実に高い耐久性を発揮し、しかも施工コストの低廉化も実現することができる。
【００１３】
また、この外壁では、各板状建材を互いに実はぎ又は矢はずはぎされる接合部を除いた位置で下地材にビスによって固定することとしている。このため、この外壁では、板状建材の任意の場所にビスを打ち込むことが可能であるため、必要な位置で板状建材を固定できるとともに、板状建材の大きさに制限を生じず、優れた剛性と施工コストの低廉化とを実現できる。
【００１４】
さらに、この外壁では、板状建材が金属板製の第１板材及び第２板材を採用しているため、時間の経過によって板状建材が反り難い。
【００１５】
したがって、本発明の外壁は、必ずしも筋交を設けなくても確実に高い耐久性を発揮し、しかも施工コストの低廉化を実現できる。また、本発明の外壁は、経時変化の反りを防止して良好な仕上がりも実現することができる。
【００１６】
下地材としては、木造造りの柱、間柱、コンクリート造りのコンクリート、鉄骨造りの鉄骨等を採用することができる。意匠材としては、タイル、石材、樹脂製の化粧材、木質化粧材、ガラス質化粧材、セメント系化粧材、石灰や石膏製の化粧材、アクリルエマルジョン等の有機系塗材、モルタル等の無機系塗材等を採用することができる。
【００１７】
接合部は、断熱材の厚みを維持していることが好ましい。実はぎ又は矢はずはぎされる接合部は板状建材の厚さ方向の中央の面に対して面対称であり得るため、接合部の表側及び裏側に断熱材を有し得る。この場合、板状建材は接合部においても断熱材の厚みを維持できるため、外壁の断熱効果が高くなる。上記特開昭６３−１３０８５６号公報及び特開平１１−１５９０５３号公報開示の板状建材は、実はぎされる凹部の裏面側において断熱材を無くしており、この点において本発明の外壁は優れている。
【００１８】
接合部は、第１、２板材の上端が断熱材側に直角に屈曲された後で上方に延びる凸部と、第１、２板材の下端が断熱材側に折り返されて上方に屈曲された凹部とからなることができる。このような接合部であれば、接合部の表側及び裏側に断熱材を有し得る。また、この接合部を採用すれば、板状建材の表裏が問われず、施工性が向上する。
【発明を実施するための最良の形態】
【００１９】
以下、本発明を住宅用の外壁に具体化した実施例１、２を図面を参照しつつ説明する。
【実施例１】
【００２０】
まず、図１に示す板状建材としての金属サンドイッチパネル１０を用意する。この金属サンドイッチパネル１０は、表面を構成する鋼板製の第１板材１１と、裏面を構成する鋼板製の第２板材１２と、第１板材１１と第２板材１２との間に一体に設けられた発泡ポリウレタンフォームからなる断熱材１３とを有している。
【００２１】
第１、２板材１１、１２上には、図２に示すように、エポキシ系塗料の１００質量部に無数の珪砂を３０質量部の割合で混合してなるエポキシ系塗材からなる密着層１４が予め形成されている。密着層１４の表面は、中心線平均粗さＲａが２μｍにおいて、最大高さＲｙが１３〜１５μｍで粗面化されている。この密着層１４は弾性を有している。
【００２２】
図１に示すように、金属サンドイッチパネル１０の上端には凸部１０ａが形成され、その下端には凸部１０ａに挿入され得る凹部１０ｂが形成されている。凸部１０ａは、第１、２板材１１、１２の上端が断熱材１３側に直角に屈曲された後で上方に延び、さらに折り返されて下方に屈曲されたものである。凹部１０ｂは、第１、２板材１１、１２の下端が断熱材１３側に折り返されて上方に屈曲され、さらに直角に屈曲された後で上方に屈曲されたものである。凸部１０ａの先端面又は凹部１０ｂの奥端面にはゴムパッキン１０ｃが設けられている。これら凸部１０ａ及び凹部１０ｂは互いに実はぎされる接合部１５を構成する。このため、金属サンドイッチパネル１０の表裏が問われず、施工性が向上する。
【００２３】
この金属サンドイッチパネル１０を用いて外壁を施工する場合、まず、下地材としての木材からなる柱４０等に透湿防水シート４５を介してビス４６により複数枚の金属サンドイッチパネル１０を平面状に固定し、金属サンドイッチパネル１０の表面からなる垂直な被施工面を形成する。なお、金属サンドイッチパネル１０の裏面側に厚み調整のためのスペーサを設けることも可能である。
【００２４】
この際、接合部１５を除いた任意の位置で各金属サンドイッチパネル１０を柱４０等にビス４６によって固定する。こうして、下段から上段へと金属サンドイッチパネル１０を順次積み上げ、下段の金属サンドイッチパネル１０の凸部１０ａが上段の金属サンドイッチパネル１０の凹部１０ｂに挿入するようにする。接合部１５の凹部１０ｂにはエポキシ系のパテ３１が設けられており、これにより塗り仕上げ材３０が塗布しやすい凹凸のない平坦な被施工面を形成している。
【００２５】
そして、被施工面のうちの第１板材１１に意匠材及び接着剤としての塗り仕上げ材３０を塗布する。この塗り仕上げ材３０は主成分がアクリルエマルジョン系、変性シリコーン系、エポキシ系又はウレタン系である。
【００２６】
水平方向で隣り合う金属サンドイッチパネル１０は、図３に示すように、両端面間に発泡ポリスチレンのバックアップ材３３及びエポキシ系のパテ３１を設けつつ突き合わせを行い、上記と同様、任意の位置で各金属サンドイッチパネル１０を柱４０等にビス４６によって固定する。そして、両金属サンドイッチパネル１０の縁部及びパテ３１の表面にテープ３２を貼着する。この後、第１板材１１に塗り仕上げ材３０を塗布する。塗り仕上げ材３０に他の意匠材としてのタイル５０を貼着することも可能である。
【００２７】
また、金属サンドイッチパネル１０が出隅を構成する場合、図４に示すように、一方の金属サンドイッチパネル１０の端面にバックアップ材３３及びパテ３１を設けつつ、他方の金属サンドイッチパネル１０の第２板材１２と対面させ、上記と同様、任意の位置で各金属サンドイッチパネル１０を柱４０等にビス４６によって固定する。そして、両金属サンドイッチパネル１０の端面、パテ３１の表面及び縁部にテープ３２を貼着する。この後、第１板材１１に塗り仕上げ材３０を塗布する。塗り仕上げ材３０にタイル５０を貼着することも可能である。
【００２８】
さらに、金属サンドイッチパネル１０が入隅を構成する場合、図５に示すように、まず柱４０に受木４１を介して固定された縁木４３に断面く字形状の鋼板製の捨て入り材４４を固定する。そして、一方の金属サンドイッチパネル１０をその端面が捨て入り材４４に当接するように設け、上記と同様、任意の位置でその金属サンドイッチパネル１０を縁木４３等にビス４６によって固定する。また、他方の金属サンドイッチパネル１０の端面にＬ字見切３５を設けた後、バックアップ材３３及びシーリング３４を設けつつ、一方金属サンドイッチパネル１０の第１板材１１と対面させ、任意の位置で各金属サンドイッチパネル１０を縁木４３等にビス４６によって固定する。この後、第１板材１１に塗り仕上げ材３０を塗布する。塗り仕上げ材３０にタイル５０を貼着することも可能である。
【００２９】
こうして得られた外壁は、表面を構成する鋼板製の第１板材１１と、裏面を構成する鋼板製の第２板材１２と、第１板材１１と第２板材１２との間に一体に設けられた断熱材１３とを有する金属サンドイッチパネル１０を用いており、外断熱が可能である。この際、第１、２板材１１、１２が高い壁倍率を実現して外壁の剛性を高くしている。
【００３０】
特に、図２に示すように、密着層１４の表面は粗面化されており、粗面によって密着層１４と塗り仕上げ材３０とが大きな面積で接触し、かつ密着層１４と塗り仕上げ材３０とがともに有機系であることから強固に結合される。密着層１４の粒状物質はその上に設けられる塗り仕上げ材３０を繋ぎとめるアンカーとしても機能する。また、上下方向で隣接する各金属サンドイッチパネル１０は各々の接合部１５によって互いに実はぎされている。このため、この外壁は、必ずしも筋交を設けなくても確実に高い耐久性を発揮し、しかも施工コストの低廉化も実現することができる。
【００３１】
また、この外壁は、各金属サンドイッチパネル１０を互いに実はぎされる接合部１５を除いた任意の位置で柱４０等にビス４６によって固定しているため、必要な位置で金属サンドイッチパネル１０を固定できるとともに、金属サンドイッチパネル１０の大きさに制限を生じず、優れた剛性と施工コストの低廉化とを実現できる。
【００３２】
さらに、この外壁では、各金属サンドイッチパネル１０が鋼板製の第１板材１１及び第２板材１２を採用しているため、時間の経過によって各金属サンドイッチパネル１０が反り難い。
【００３３】
したがって、実施例１の外壁は、必ずしも筋交を設けなくても確実に高い耐久性を発揮し、しかも施工コストの低廉化を実現できる。また、実施例１の外壁は、経時変化の反りを防止して良好な仕上がりも実現することができる。
【００３４】
また、この外壁は、実はぎされる接合部１５が上記構成の凸部１０ａ及び凹部１０ｂにより構成され、凸部１０ａ及び凹部１０ｂの表側及び裏側に断熱材１３を有していることから、断熱材１３の厚みが維持されている。このため、この外壁は、高い断熱効果を発揮することができる。
【実施例２】
【００３５】
図６に示す板状建材としての金属サンドイッチパネル２０を用意する。金属サンドイッチパネル２０の上端には凹部２０ａが形成され、その下端には凹部２０ａに挿入可能な凸部２０ｂが形成されている。凹部２０ａでは、第１板材２１の上端が断熱材２３側に直角に屈曲された後で上方に延び、さらにビス４６の頭部を嵌合させるように断熱材２３側に凹んだ後で上方に延び、さらに折り返されて下方に屈曲された後で断熱材２３側に直角に屈曲され、さらに下方に延びている。また、凹部２０ａでは、第２板材２２の上端が断熱材２３側に折り返されて下方に屈曲され、さらに直角に屈曲された後で下方に屈曲されている。凸部２０ｂでは、第１板材１１の下端が断熱材２３側に折り返されて上方に屈曲され、さらに直角に屈曲された後で下方に折り返された後、上方に折り返されている。また、凸部２０ｂでは、第２板材２１の下端が断熱材２３側に直角に屈曲された後、下方に延び、上方に折り返されている。凸部２０ｂの先端面にはゴムパッキン２０ｃが設けられている。これら凹部２０ｂ及び凸部２０ｂは、上方の第１板材２１の下端によって隠蔽されつつ互いに実はぎされる接合部１５を構成する。接合部１５の凹部２０ｂにはエポキシ系のパテ３１が設けられている。他の構成は実施例１の金属サンドイッチパネル１０と同様である。
【００３６】
この金属サンドイッチパネル２０を用いて外壁を施工する場合、下方に位置する金属サンドイッチパネル２０は接合部１５によって柱４０等にビス４６によって固定されるものの、上方に位置する金属サンドイッチパネル２０は接合部１５を除いた任意の位置で柱４０等にビス４６によって固定される。他の構成は実施例１と同様である。
【００３７】
こうして得られる外壁においても、実施例１の外壁と同様の作用効果を奏することができる。
【００３８】
なお、実施例１、２において、図７に示す出隅を構成することもできる。例えば、金属サンドイッチパネル１０を用いる場合、柱４０に透湿防水シート４５を介してイカ頭形状の出隅板金３６を固定する。そして、両金属サンドイッチパネル１０の端面にバックアップ材３３及びパテ３１を設けつつ、出隅板金３６と対面させ、上記と同様、任意の位置で各金属サンドイッチパネル１０を柱４０等にビス４６によって固定する。そして、両金属サンドイッチパネル１０の端面、パテ３１の表面及び出隅板金３６にテープ３２を貼着する。この後、第１板材１１に塗り仕上げ材３０を塗布する。塗り仕上げ材３０にタイル５０を貼着することも可能である。
【００３９】
また、実施例１、２において、図８に示す出隅を構成することもできる。例えば、金属サンドイッチパネル１０を用いる場合、同時に屈曲した金属サンドイッチパネル１０ａを用いる。金属サンドイッチパネル１０ａは、表面を構成する屈曲した第１板材１１ａと、裏面を構成する屈曲した第２板材１２ａと、第１板材１１ａと第２板材１２ａとの間に一体に設けられた断熱材１３とを有している。
【００４０】
そして、柱４０等に透湿防水シート４５を介して金属サンドイッチパネル１０、１０ａを固定する。この際、金属サンドイッチパネル１０ａの端面にバックアップ材３３及びパテ３１を設けつつ、金属サンドイッチパネル１０の端面と対面させ、上記と同様、任意の位置で各金属サンドイッチパネル１０、１０ａを柱４０等にビス４６によって固定する。そして、両金属サンドイッチパネル１０の端面及びパテ３１の表面にテープ３２を貼着する。この後、第１板材１１、１１ａに塗り仕上げ材３０を塗布する。塗り仕上げ材３０にタイル５０を貼着することも可能である。
【００４１】
上記実施例１、２では、接合部１５が互いに実はぎされるものであったが、本発明の外壁は矢はずはぎされる接合部を採用することもできる。また、本発明は上記実施例１、２に制限されるものではなく、その趣旨を逸脱しない範囲で適宜変更して適用できることはいうまでもない。
【産業上の利用可能性】
【００４２】
本発明は、戸建て住宅等の建築物の外壁に利用可能である。
【図面の簡単な説明】
【００４３】
【図１】実施例１の外壁の縦方向の部分断面図である。
【図２】実施例１、２に係る金属サンドイッチパネルの部分拡大断面図である。
【図３】実施例１の外壁の水平方向の部分断面図である。
【図４】実施例１の外壁の水平方向の部分断面図である。
【図５】実施例１の外壁の水平方向の部分断面図である。
【図６】実施例２の外壁の縦方向の部分断面図である。
【図７】実施例１の変形例に係る外壁の水平方向の部分断面図である。
【図８】実施例１の変形例に係る外壁の水平方向の部分断面図である。
【符号の説明】
【００４４】
４０、４１、４３…下地材
１０、１０ａ、２０…板状建材（金属サンドイッチパネル）
３０、５０…意匠材（３０…塗り仕上げ材、５０…タイル）
１１、１１ａ、２１…第１板材
１２、１２ａ、２２…第２板材
１３、２３…断熱材
１５…接合部
４６…ビス
１０ａ…凸部
１０ｂ…凹部
【図１】
2005320759.tif 000003
【図２】
2005320759.tif 000004
【図３】
2005320759.tif 000005
【図４】
2005320759.tif 000006
【図５】
2005320759.tif 000007
【図６】
2005320759.tif 000008
【図７】
2005320759.tif 000009
【図８】
2005320759.tif 000010